(57)【要約】【課題】規程に則った証明写真を撮影する。【解決手段】証明写真撮影装置は、証明写真の用途毎の写真規程を記憶する記憶部と、利用者から証明写真の用途の選択を受け付ける用途選択部と、選択された用途に対応する写真規程を表示する表示部と、前記利用者を撮影し、撮影画像を生成する撮影部と、前記撮影画像を選択された用途に基づいてリサイズしてプリント用画像を生成する画像処理部と、前記プリント用画像を用紙にプリントして出力するプリンタと、を備える。【選択図】図１
2019193154.tif 000002
【特許請求の範囲】
【請求項１】
証明写真の用途毎の写真規程を記憶する記憶部と、
利用者から証明写真の用途の選択を受け付ける用途選択部と、
選択された用途に対応する写真規程を表示する表示部と、
前記利用者を撮影し、撮影画像を生成する撮影部と、
前記撮影画像を選択された用途に基づいてリサイズしてプリント用画像を生成する画像処理部と、
前記プリント用画像を用紙にプリントして出力するプリンタと、
を備える証明写真撮影装置。
【請求項２】
利用者から識別情報の入力を受け付ける入力部と、
前記識別情報をサーバ装置に通知する通知部と、
前記サーバ装置から、前記識別情報に対応する写真規程を受信する受信部と、
前記撮影画像を前記サーバ装置へ送信する送信部と、
をさらに備え、
前記表示部は、前記サーバ装置から受信した写真規程を表示することを特徴とする請求項１に記載の証明写真撮影装置。
【請求項３】
前記撮影部は、前記表示部が写真規程を表示した後に撮影処理を行い、前記撮影画像を生成することを特徴とする請求項１又は２に記載の証明写真撮影装置。
【請求項４】
前記表示部は、写真規程と共に前記利用者のライブビュー画像を表示することを特徴とする請求項１乃至３のいずれか１項に記載の証明写真撮影装置。
【請求項５】
証明写真の用途毎の写真規程を記憶する記憶部と、
利用者から証明写真の用途の選択を受け付ける用途選択部と、
前記利用者を撮影する撮影部と、
撮影画像を解析し、選択された用途に対応する写真規程に則っているか否かを判定する判定部と、
前記写真規程に則っていない場合に前記利用者にメッセージを報知する報知部と、
前記撮影部により生成された撮影画像を、選択された用途に基づいてリサイズしてプリント用画像を生成する画像処理部と、
前記プリント用画像を用紙にプリントして出力するプリンタと、
を備える証明写真撮影装置。
【請求項６】
利用者から識別情報の入力を受け付ける入力部と、
前記識別情報をサーバ装置に通知する通知部と、
前記サーバ装置から、前記識別情報に対応する指定画像を受信する受信部と、
前記撮影画像を前記サーバ装置へ送信する送信部と、
をさらに備え、
前記判定部は撮影画像を解析し、前記撮影画像に前記指定画像が含まれているか否かを判定し、含まれていない場合、前記報知部が前記利用者にメッセージを報知することを特徴とする請求項５に記載の証明写真撮影装置。
【請求項７】
請求項２に記載の証明写真撮影装置と、
登録端末から写真規程の登録を受け付けると、前記写真規程に対応する識別情報を発行し、前記識別情報を前記登録端末に通知し、前記証明写真撮影装置から識別情報が通知されると、通知された識別情報に対応する写真規程を前記証明写真撮影装置へ送信するサーバ装置と、
を備える証明写真撮影システム。
【請求項８】
請求項６に記載の証明写真撮影装置と、
登録端末から指定画像の登録を受け付けると、前記指定画像に対応する識別情報を発行し、前記識別情報を前記登録端末に通知し、前記証明写真撮影装置から識別情報が通知されると、通知された識別情報に対応する指定画像を前記証明写真撮影装置へ送信するサーバ装置と、
を備える証明写真撮影システム。
【発明の詳細な説明】
【技術分野】
【０００１】
本発明は、証明写真撮影装置及び証明写真撮影システムに関する。
【背景技術】
【０００２】
免許証やパスポートの申請書、履歴書等に貼付する証明写真を撮影するためのボックス型の写真撮影装置が知られている。写真撮影装置は、人物を撮影し、用途に応じた様々なサイズの写真をプリントして出力する。
【０００３】
証明写真は、用途に応じて、サイズだけでなく様々な規程が設定されている。例えば、パスポート申請用写真には「ヘアバンドで頭髪を覆っていない」などの規程がある。この規程に則っていない場合、作製した証明写真は使用不可となり、撮り直す必要があった。
【先行技術文献】
【特許文献】
【０００４】
【特許文献１】特開２０１５−１４５９９３号公報
【特許文献２】特開２０１５−８３６４号公報
【特許文献３】特開２０１２−１６３８５７号公報
【発明の概要】
【発明が解決しようとする課題】
【０００５】
本発明は、規程に則った写真を撮影する証明写真撮影装置及び証明写真撮影システムを提供することを課題とする。
【課題を解決するための手段】
【０００６】
本発明による証明写真撮影装置は、証明写真の用途毎の写真規程を記憶する記憶部と、利用者から証明写真の用途の選択を受け付ける用途選択部と、選択された用途に対応する写真規程を表示する表示部と、前記利用者を撮影し、撮影画像を生成する撮影部と、前記撮影画像を選択された用途に基づいてリサイズしてプリント用画像を生成する画像処理部と、前記プリント用画像を用紙にプリントして出力するプリンタと、を備えるものである。
【０００７】
本発明の一態様では、利用者から識別情報の入力を受け付ける入力部と、前記識別情報をサーバ装置に通知する通知部と、前記サーバ装置から、前記識別情報に対応する写真規程を受信する受信部と、前記撮影画像を前記サーバ装置へ送信する送信部と、をさらに備え、前記表示部は、前記サーバ装置から受信した写真規程を表示する。
【０００８】
本発明の一態様では、前記撮影部は、前記表示部が写真規程を表示した後に撮影処理を行い、前記撮影画像を生成する。
【０００９】
本発明の一態様では、前記表示部は、写真規程と共に前記利用者のライブビュー画像を表示する。
【００１０】
本発明による証明写真撮影装置は、証明写真の用途毎の写真規程を記憶する記憶部と、利用者から証明写真の用途の選択を受け付ける用途選択部と、前記利用者を撮影する撮影部と、撮影画像を解析し、選択された用途に対応する写真規程に則っているか否かを判定する判定部と、前記写真規程に則っていない場合に前記利用者にメッセージを報知する報知部と、前記撮影部により生成された撮影画像を、選択された用途に基づいてリサイズしてプリント用画像を生成する画像処理部と、前記プリント用画像を用紙にプリントして出力するプリンタと、を備えるものである。
【００１１】
本発明の一態様では、利用者から識別情報の入力を受け付ける入力部と、前記識別情報をサーバ装置に通知する通知部と、前記サーバ装置から、前記識別情報に対応する指定画像を受信する受信部と、前記撮影画像を前記サーバ装置へ送信する送信部と、をさらに備え、前記判定部は撮影画像を解析し、前記撮影画像に前記指定画像が含まれているか否かを判定し、含まれていない場合、前記報知部が前記利用者にメッセージを報知する。
【００１２】
本発明による証明写真撮影システムは、本発明の証明写真撮影装置と、登録端末から写真規程の登録を受け付けると、前記写真規程に対応する識別情報を発行し、前記識別情報を前記登録端末に通知し、前記証明写真撮影装置から識別情報が通知されると、通知された識別情報に対応する写真規程を前記証明写真撮影装置へ送信するサーバ装置と、を備えるものである。
【００１３】
本発明による証明写真撮影システムは、本発明の証明写真撮影装置と、登録端末から指定画像の登録を受け付けると、前記指定画像に対応する識別情報を発行し、前記識別情報を前記登録端末に通知し、前記証明写真撮影装置から識別情報が通知されると、通知された識別情報に対応する指定画像を前記証明写真撮影装置へ送信するサーバ装置と、を備えるものである。
【発明の効果】
【００１４】
本発明によれば、写真規程を利用者に提示し、規程に則った写真を撮影できる。
【図面の簡単な説明】
【００１５】
【図１】本発明の実施形態に係る証明写真撮影システムの概略構成図である。
【図２】（ａ）は確認画面の例を示す図であり、（ｂ）は撮影画像の例を示す図である。
【図３】カードプリンタで作製される社員証の例を示す図である。
【図４】サーバ装置の機能ブロック図である。
【図５】証明写真撮影装置の概略構成図である。
【図６】演算制御部のハードウェア構成図である。
【図７】同実施形態に係る写真撮影プログラムを実行することで実現される機能ブロック図である。
【図８】同実施形態に係る証明写真撮影方法を説明するフローチャートである。
【図９】別の実施形態に係る確認画面の例を示す図である。
【発明を実施するための形態】
【００１６】
以下、本発明の実施の形態を図面に基づいて説明する。
【００１７】
図１に示すように、本発明の実施形態に係る証明写真撮影システムは、証明写真撮影装置１と、サーバ装置２と、カードプリンタ３とを備え、利用者を撮影し、パスポート、運転免許証、履歴書等に使用する証明写真の作製を行ったり、企業の社員証や会員証、学校の学生証等を作製したりするものである。
【００１８】
例えば、社員証を作製する企業は、登録端末４を用いて、社員証に印刷する写真の規程（規則）に関する情報をサーバ装置２に登録する。写真規程は、その企業独自のものであり、例えば、眼鏡の着用禁止、ネクタイの着用必須、社服の着用必須、徽章の着用必須などである。
【００１９】
また、企業は、登録端末４を用いて、各社員の社員番号、氏名、所属等の社員情報をサーバ装置２に登録する。
【００２０】
サーバ装置２は、写真規程の登録を受け付けると、この企業を識別する識別情報（認証コード）を発行し、写真規程と識別情報とを紐付けて保存する。社員情報が登録されている場合は、さらに社員情報も紐付けて保存する。識別情報は例えば複数桁の英数字コードである。
【００２１】
サーバ装置２は、識別情報を登録端末４に通知する。企業の担当者は、識別情報を各社員に通達する。
【００２２】
利用者Ｐ（社員）は、証明写真撮影装置１を利用して、社員証用の顔写真を撮影する。利用者Ｐは、証明写真撮影装置１の利用開始時に、予め通達された識別情報を証明写真撮影装置１に入力する。また、利用者Ｐは、自身の社員番号も入力する。
【００２３】
証明写真撮影装置１は、入力された識別情報をサーバ装置２に通知する。サーバ装置２は、通知された識別情報に対応する写真規程を証明写真撮影装置１へ送信する。
【００２４】
証明写真撮影装置１は、サーバ装置２から受信した写真規程をディスプレイに表示する。例えば、図２（ａ）に示すように、利用者をライブビューで表示すると共に、写真規程Ｒを表示する。利用者は表示された写真規程Ｒを確認する。この例では、写真規程Ｒを確認した利用者は、眼鏡を外し、ネクタイを着用する。これにより、図２（ｂ）に示すような写真規程に則った顔画像を撮影できる。
【００２５】
証明写真撮影装置１は、撮影画像データと、利用者Ｐから入力された社員番号とをサーバ装置２へ送信する。
【００２６】
証明写真撮影装置１は、撮影画像を用紙にプリントし、顔写真を撮影した撮影確認証として利用者Ｐに提供してもよい。
【００２７】
サーバ装置２は、証明写真撮影装置１から撮影画像データ及び社員番号を受信すると、撮影画像と、社員番号に対応する社員情報とを用いて、社員証の券面画像を作成する。サーバ装置２は、券面画像データをカードプリンタ３へ転送する。カードプリンタ３は、カード基材に券面画像を印画し、図３に示すような社員証５を作製する。
【００２８】
利用者Ｐが証明写真撮影装置１で運転免許証やパスポート等の一般証明書用の証明写真を作製する場合、利用者Ｐは証明写真撮影装置１に証明写真の用途を選択・入力する。証明写真の用途には、運転免許証、パスポート、履歴書等がある。
【００２９】
運転免許証やパスポートの証明写真には、それぞれ所定の写真規程が決められている。例えば、運転免許証の写真規程には、不適正なものとして「顔を傾けている」「目が隠れている」「サングラスをしている」「衣類で顔の一部が隠れている」などがある。証明写真撮影装置１は、用途毎の写真規程情報を保持しており、利用者Ｐから選択された用途に対応した写真規程を表示する。例えば、利用者のライブビュー表示と共に写真規程を表示する。
【００３０】
利用者Ｐは、表示された写真規程を確認し、身だしなみを整えて撮影を行う。撮影後、証明写真撮影装置１は、撮影画像を用途に応じたサイズにリサイズ処理し、用紙にプリントする。これにより、利用者Ｐは、用途に応じた写真規程に則った証明写真を入手できる。
【００３１】
このように、本実施形態によれば、所定の規程に則った顔写真を撮影することができ、再撮影の手間が生じることを防止できる。
【００３２】
次に、サーバ装置２の構成について説明する。サーバ装置２は、通信機能を有するコンピュータであり、図４に示すように、記憶部２０、登録受付部２１、識別情報発行部２２、識別情報通知部２３、識別情報受信部２４、規程送信部２５、画像受信部２６、及び券面画像作成部２７を有する。
【００３３】
登録受付部２１は、例えば社員証を作製する企業の登録端末４から、写真規程の登録を受け付ける。登録受付部２１は、各社員の社員情報の登録をさらに受け付けてもよい。
【００３４】
識別情報発行部２２は、登録された写真規程に対応する識別情報を発行する。発行された識別情報と、写真規程（及び社員情報）とが対応付けられて、記憶部２０に保存される。
【００３５】
識別情報通知部２３は、発行した識別情報を登録端末４に通知する。
【００３６】
識別情報受信部２４は、証明写真撮影装置１から識別情報を受信する。この識別情報は、利用者Ｐが証明写真撮影装置１で入力したものである。
【００３７】
規程送信部２５は、証明写真撮影装置１から受信した識別情報に対応する写真規程を記憶部２０から取り出し、証明写真撮影装置１へ送信する。
【００３８】
画像受信部２６は、証明写真撮影装置１から撮影画像を受信する。この撮影画像は、証明写真撮影装置１へ送信した写真規程に則ったものである。撮影画像と共に、利用者Ｐの個人識別情報（社員番号等）を受信してもよい。
【００３９】
券面画像作成部２７は、撮影画像と、この撮影画像に写っている利用者Ｐの社員情報とを用いて、社員証の券面画像を作成する。券面画像はカードプリンタ３へ転送される。カードプリンタ３は券面画像をカード基材にプリントして社員証を作製する。
【００４０】
次に、証明写真撮影装置１について説明する。図５に示すように、証明写真撮影装置１は、演算制御部１１と、利用者Ｐの顔を撮影し、顔画像データを生成する撮影部１２と、タッチパネル１３と、通信部１４と、プリンタ１５と、撮影部１２が利用者Ｐの顔を撮影する際に利用者Ｐに光を照射するストロボ１６と、を備える。また、証明写真撮影装置１には、図示しない課金部が設けられている。
【００４１】
撮影部１２は、例えばデジタルカメラであり、レンズ、シャッタ、ＣＭＯＳセンサ、Ａ／Ｄ変換器等を有する。撮影部１２が利用者Ｐの顔を撮影して生成された撮影画像データは、演算制御部１１へ転送される。
【００４２】
タッチパネル１３は、操作ボタンを表示し、操作ボタンが押されると、その操作ボタンに対応した操作指示を受け付ける。証明写真撮影装置１は、社員証等のための顔写真を撮影するモードと、パスポートや運転免許証等の一般証明書用の証明写真を作製するモードとを有し、タッチパネル１３はモード選択画面を表示する。
【００４３】
タッチパネル１３は、識別情報入力画面を表示する。識別情報入力画面は、利用者Ｐが所属する組織（企業、学校等）を識別する識別情報の入力領域や、利用者Ｐ自身を識別する個人識別情報（社員番号、学生証番号等）の入力領域を含む。
【００４４】
タッチパネル１３は、証明写真の用途の選択画面を表示する。証明写真の用途は、例えば、パスポート、運転免許証、履歴書等である。
【００４５】
タッチパネル１３は、利用者Ｐのライブビュー表示や、写真規程の表示を行う。
【００４６】
タッチパネル１３の代わりに、タッチ機能の無いディスプレイ及びボタン等を設けてもよい。
【００４７】
演算制御部１１は、撮影部１２、タッチパネル１３、通信部１４、プリンタ１５、ストロボ１６、課金部等に接続されており、各部の制御やデータの受け渡しを行う。
【００４８】
図６に、演算制御部１１のハードウェア構成を示す。演算制御部１１は、ＣＰＵ（中央演算処理部）１０１、メインメモリ１０２、ディスク装置１０３、及び入出力部１０４を有する。
【００４９】
ディスク装置１０３（記憶部）は、ＣＰＵ１０１により実行される写真撮影プログラムを格納する。また、ディスク装置１０３は、パスポート、運転免許証等の一般証明書用の証明写真について、用途毎の写真規程を格納している。
【００５０】
ＣＰＵ１０１は写真撮影プログラムをメインメモリ１０２にロードして実行する。写真撮影プログラムの実行により、図７に示すように、モード選択部１１１、識別情報入力部１１２、識別情報通知部１１３、規程受信部１１４、用途選択部１１５、規程選択部１１６、規程表示部１１７、撮影処理部１１８、画像処理部１１９、画像送信部１２０、及びプリント処理部１２１の機能が実現される。
【００５１】
各部の処理を図８に示すフローチャートに沿って説明する。
【００５２】
利用者Ｐが証明写真撮影装置１の筐体内に進入すると、モード選択部１１１が、タッチパネル１３にモード選択画面を表示し、モードの選択を受け付ける（ステップＳ１）。モードには、社員証用写真撮影モードと、一般証明書用証明写真作製モードとがある。
【００５３】
社員証用写真撮影モードが選択されると、識別情報入力部１１２が、タッチパネル１３を介して、利用者Ｐから識別情報の入力を受け付ける（ステップＳ２）。例えば、利用者Ｐが所属する組織（企業、学校等）を識別する識別情報と、利用者Ｐ自身を識別する個人識別情報（社員番号、学生証番号等）との入力を受け付ける。
【００５４】
識別情報通知部１１３が、入力された識別情報（企業の識別情報）を、通信部１４を用いて、サーバ装置２に通知する。規程受信部１１４が、通知した識別情報に対応する写真規程をサーバ装置２から受信する（ステップＳ３）。
【００５５】
規程表示部１１７が、サーバ装置２から受信した写真規程をタッチパネル１３に表示する（ステップＳ４）。このとき、タッチパネル１３には、利用者Ｐのライブビューがあわせて表示される。利用者Ｐは写真規程を確認し、ネクタイを着用したり、徽章をつけたりする。
【００５６】
撮影処理部１１８が、撮影部１２を制御して、利用者Ｐの撮影を行う（ステップＳ５）。
【００５７】
画像送信部１２０が、撮影画像データをサーバ装置２へ送信する（ステップＳ６）。このとき、ステップＳ２で入力された個人識別情報（社員番号等）をあわせてサーバ装置２へ送信する。
【００５８】
ステップＳ１で一般証明書用証明写真作製モードが選択されると、用途選択部１１５が、タッチパネル１３に用途選択画面を表示し、証明写真の用途の選択を受け付ける（ステップＳ１１）。
【００５９】
規程選択部１１６が、選択された用途に対応する写真規程をディスク装置１０３から選択して取り出す（ステップＳ１２）。さらに課金部が課金処理を行ってもよい。
【００６０】
規程表示部１１７が、ステップＳ１２でディスク装置１０３から取り出された写真規程をタッチパネル１３に表示する（ステップＳ１３）。このとき、タッチパネル１３には、利用者Ｐのライブビューがあわせて表示される。利用者Ｐは写真規程を確認し、身だしなみを整える。
【００６１】
撮影処理部１１８が、撮影部１２を制御して、利用者Ｐの撮影を行う（ステップＳ１４）。
【００６２】
画像処理部１１９が、撮影画像を用途に応じたサイズにリサイズし、プリント用画像を作成する。プリント処理部１２１が、プリント用画像をプリンタ１５へ転送する。プリンタ１５がプリント用画像を用紙にプリントして証明写真を作製する（ステップＳ１５）。プリンタ１５のプリント方式は特に限定されず、インクジェット方式、昇華型熱転写方式、溶融型熱転写方式等を用いることができる。
【００６３】
このように、本実施形態によれば、写真規程に則った顔写真を撮影できる。
【００６４】
上記実施形態では、写真規程を表示する例について説明したが、証明写真撮影装置１に、利用者のライブビューを表示している際に、撮影画像を解析し、写真規程に則っているか否かを判定する判定部と、不適切な場合には利用者に対しメッセージを通知（表示）したり、音声で報知したりする報知部の機能を設けてもよい。例えば、眼鏡の着用が不適切であるという写真規程があり、証明写真撮影装置１が撮影画像を解析した結果、利用者が眼鏡を着用していた場合、図９に示すように、タッチパネル１３に眼鏡を外すようにメッセージＡを表示する。判定部が、利用者が眼鏡を外したことを検出すると、撮影処理が行われる。
【００６５】
また、登録端末４が、写真規程として、企業の社服や徽章の指定画像をサーバ装置２に登録してもよい。サーバ装置２は、指定画像が登録されると、識別情報を発行して登録端末４に通知する。サーバ装置２は、指定画像と識別情報とを紐付けて保存する。サーバ装置２は、証明写真撮影装置１から識別情報が通知されると、対応する指定画像を証明写真撮影装置１へ送信する。証明写真撮影装置１の判定部は、撮影画像内を解析し、利用者が社服や徽章を着用しているか（撮影画像に社服や徽章の指定画像が含まれているか）判定し、着用していない場合、報知部が、着用を促すメッセージを出力する。
【００６６】
上記実施形態では、撮影部１２が利用者Ｐを自動撮影する構成について説明したが、カメラマンが利用者Ｐを撮影するものであってもよい。この場合も、利用者Ｐ（又はカメラマン）が識別情報や用途を入力し、対応する写真規程をディスプレイに表示して確認できるようにする。
【００６７】
利用者Ｐが、自身が所有するスマートフォン等の携帯端末に識別情報を入力し、サーバ装置２から写真規程を取得し、携帯端末のディスプレイに写真規程を表示した上で、携帯端末の内蔵カメラで自身を撮影してもよい。携帯端末は、撮影画像をサーバ装置２へ送信する。
【００６８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６９】
１  証明写真撮影装置
２  サーバ装置
３  カードプリンタ
４  登録端末
【図１】
2019193154.tif 000003
【図２】
2019193154.tif 000004
【図３】
2019193154.tif 000005
【図４】
2019193154.tif 000006
【図５】
2019193154.tif 000007
【図６】
2019193154.tif 000008
【図７】
2019193154.tif 000009
【図８】
2019193154.tif 000010
【図９】
2019193154.tif 000011